(57)【要約】【課題】組立の作業性を向上させるとともに、基板の結露を抑えて耐久性に優れた加湿器及びこの加湿器を備えた空気清浄機、調湿装置を提供すること。【解決手段】制御基板２５と複数の表示用基板２３，２４をユニット枠２１内に収めて表示操作ユニット２０とし、この表示操作ユニット２０を本体１に取り付けて加湿器を形成するよう構成した。つまり、複数ある基板をユニット化して操作表示ユニット２０を構成することにより、予め基板同士をリード線で接続しておくことができるため、本体１への取り付けの作業性が向上する。さらに、発熱性の部品を備える制御基板２５と、発熱性の部品を備えない表示用基板２３，２４とをユニット枠２１内に配置することで、表示用基板２３，２４の周辺の温度を上昇させて相対湿度を低下させ、結露を抑制することができる。【選択図】図３
2014044034.tif 000002
【特許請求の範囲】
【請求項１】
本体外装の複数面に表示部が設けられた加湿器において、本体に取り付けられて外装の一部を形成する表示操作ユニットを備え、前記表示操作ユニットは、加湿器の動作を制御する制御基板と、情報を表示する複数の表示用基板と、前記制御基板と前記表示用基板とが取り付けられるユニット枠を有することを特徴とする加湿器。
【請求項２】
前記表示操作ユニットは、本体天面に設けられた表示部に表示を行う第一基板と、天面とは異なる面に設けられた表示部に表示を行う第二基板とを有し、前記ユニット枠は前記第二基板が嵌合する嵌合部を備えることを特徴とする請求項１記載の加湿器。
【請求項３】
前記表示操作ユニットは、前記ユニット枠底面に取り付けられる下部カバーを備え、前記下部カバーは前記第二基板が嵌合する溝部を備えるとともに、本体天面と本体内部とを連通する隙間を塞ぐ突片を備えることを特徴とする請求項２記載の加湿器。
【請求項４】
本体内には水を貯える水槽部が収容され、前記第二基板は本体が転倒して前記水槽部内の水が本体内に流出した際に、本体外装に貯まる水の水位よりも高い位置に設けられていることを特徴とする請求項２または３記載の加湿器。
【請求項５】
請求項１〜４のいずれかに記載の加湿器を有することを特徴とする空気清浄機。
【請求項６】
請求項１〜４のいずれかに記載の加湿器を有することを特徴とする調湿装置。
【発明の詳細な説明】
【技術分野】
【０００１】
本発明は、本体の複数面に表示部が設けられた加湿器及びこの加湿器を備えた空気清浄機、調湿装置に関するものである。
【背景技術】
【０００２】
従来、本体の天面と正面など、複数の面において表示を行うようにした加湿器がある（特許文献１）。図７は従来の加湿器を示した図であって、本体天面に表示を行うための第一基板４１と、本体正面に表示を行うための第二基板４２を備えており、第一基板４１は本体天面の内側に取り付けられ、第二基板４２は本体正面の内側に取り付けられている。そして、第一基板４１と第二基板４２はリード線４３（ＦＦＣ）をコネクタ４４に差し込むことで接続されている。
【０００３】
また、このような加湿器においては、本体の下部に水が貯えられた加湿部を有しており、加湿器が転倒した際には加湿部から本体内に水が流出してしまう。そこで第二基板４２の周囲には、第二基板４２に水がかかってしまうことを防止するための防水カバー４５が取り付けられている。
【先行技術文献】
【特許文献】
【０００４】
【特許文献１】特開２０１２−９７９８１号公報
【発明の概要】
【発明が解決しようとする課題】
【０００５】
従来の構成では、第一基板と第二基板がそれぞれ別の面に取り付けられるようになっている。そのため、加湿器を組み立てる際には、第一基板を取り付けた後で第一基板から延びるリード線を第二基板のコネクタに差し込み、第二基板を本体に取り付けるという工程が発生するが、狭い本体内部での作業となるため作業性が悪くなってしまっていた。また、第二基板には防水カバーも必要となるため、取り付けの手間が発生することに加え、防水カバーを取り付けるスペースも確保しなければならない。
【０００６】
また、加湿器の運転を停止させた時には、加湿部に残った水が蒸発するため本体内部は高湿度となる。そして、加湿部に近い第二基板には高湿空気が流れ込みやすく、この高湿空気により基板に結露が発生してしまうおそれがある。
【０００７】
本発明は、上記課題を解決するためのもので、組立の作業性を向上させるとともに、基板の結露を抑えて耐久性に優れた加湿器及びこの加湿器を備えた空気清浄機、調湿装置を提供することを目的とする。
【課題を解決するための手段】
【０００８】
本発明は、本体外装の複数面に表示部が設けられた加湿器において、本体に取り付けられて外装の一部を形成する表示操作ユニットを備え、前記表示操作ユニットは、加湿器の動作を制御する制御基板と、情報を表示する複数の表示用基板と、前記制御基板と前記表示用基板とが取り付けられるユニット枠を有することを特徴とする加湿器である。
【０００９】
また、前記表示操作ユニットは、本体天面に設けられた表示部に表示を行う第一基板と、天面とは異なる面に設けられた表示部に表示を行う第二基板とを有し、前記ユニット枠は前記第二基板が嵌合する嵌合部を備えることを特徴とする請求項1記載の加湿器である。
【００１０】
また、前記表示操作ユニットは、前記ユニット枠底面に取り付けられる下部カバーを備え、前記下部カバーは前記第二基板が嵌合する溝部を備えるとともに、本体天面と本体内部とを連通する隙間を塞ぐ突片を備えることを特徴とする請求項２記載の加湿器である。
【００１１】
また、本体内には水を貯える水槽部が収容され、前記第二基板は本体が転倒して前記水槽部内の水が本体内に流出した際に、本体外装に貯まる水の水位よりも高い位置に設けられていることを特徴とする請求項２または３記載の加湿器である。
【００１２】
また、請求項１〜４のいずれかに記載の加湿器を有することを特徴とする空気清浄機である。
【００１３】
また、請求項１〜４のいずれかに記載の加湿器を有することを特徴とする調湿装置である。
【発明の効果】
【００１４】
上述のように構成することにより、複数ある基板はユニット化されて１つの部品となるため、加湿器を組み立てる際の作業性が向上するとともに、制御基板が放出する熱により表示用基板周辺の温度を上昇させて結露を防ぐことができる。
【図面の簡単な説明】
【００１５】
【図１】本発明の加湿器の外観斜視図である。
【図２】本発明の加湿器本体の一部を分解した図である。
【図３】本発明の表示操作ユニットの分解図である。
【図４】本発明のユニット枠の断面図である。
【図５】本発明の加湿器の縦断面構成図である。
【図６】加湿器が転倒した際の水位と第二基板の位置を説明する図である。
【図７】従来の加湿器を説明する図である。
【発明を実施するための形態】
【００１６】
好適と考える本発明の実施形態を、本発明の作用効果を示して簡単に説明する。
【００１７】
本発明は、制御基板と複数の表示用基板をユニット枠内に収めて表示操作ユニットとし、この表示操作ユニットを本体に取り付けて加湿器を形成するよう構成した。
【００１８】
つまり、複数ある基板をユニット化して表示操作ユニットを構成することにより、予め基板同士をリード線で接続しておくことができるため、本体への取り付けの作業性が向上する。さらに、発熱性の部品を備える制御基板と、発熱性の部品を備えない表示用基板とをユニット内に配置することで、表示用基板の周辺の温度を上昇させて相対湿度を低下させ、表示用基板への結露を抑制することができる。
【００１９】
また、第二基板が本体の天面以外に表示をするものである場合には、第二基板は第一基板と異なる角度でユニット枠に取り付けられる必要がある。そこで、ユニット枠には第二基板が嵌合する嵌合部を設けることにより、第二基板を正確な角度で取り付けることができる。
【００２０】
また、ユニット枠に下部カバーを被せることにより、第二基板が下部カバーの溝部と嵌合して第二基板が固定されて上下方向への位置ズレが抑えられ、さらに下部カバーの突片が本体天面と内部とを連通する隙間を塞ぐので、本体天面に水がかかった場合に内部への水の侵入を防ぐことができる。
【００２１】
また、第二基板の位置を、本体が転倒した際に貯まる水の水位より高い位置にすることで、第二基板が浸水することが防止される。
【００２２】
また、本発明の加湿器は、空気清浄機や調湿装置に適用しても同様の効果を有するものである。
【実施例１】
【００２３】
以下本発明の一実施例としての加湿器を図面により説明する。
【００２４】
図１は加湿器の外観斜視図、図２は本体の一部を分解した図である。加湿器は、本体１の正面および側面前部を形成する本体前枠１１、側面後部と背面を形成する本体後枠１２を有しており、本体１の天面には加湿空気を吹き出す吹出口１３、操作ボタンを備えるとともに運転状態を表示する第一表示部１４、図示しない水タンクを本体に着脱する際に開閉するタンクカバー１５が設けられている。
【００２５】
本体前枠１１は、正面壁１１ａの上端に湿度を表示するための第二表示部１６が設けられるとともに、正面壁１１ａの下部には開口１１ｂが設けられ、この開口１１ｂから本体内に水槽部２が挿入されるようになっている。
【００２６】
また、吹出口１３および第一表示部１４は表示操作ユニット２０に一体に形成されており、表示操作ユニット２０は本体前枠１１および本体後枠１２の上部に載置して取り付けられる。
【００２７】
このように、本実施例の加湿器は、本体１天面の第一表示部１４と正面の第二表示部１６の２個所において表示を行うようになっている。なおここで言う表示部とは、第二表示部１６のように操作ボタンを備えずランプ等により表示を行うものだけでなく、第一表示部１４のように使用者が操作を行う操作ボタン等を有するものも含む。
【００２８】
図３は表示操作ユニット２０の分解図である。表示操作ユニット２０は、表示操作ユニット２０の筐体を構成するユニット枠２１、ユニット枠２１に回動自在に設けられた取手２２、ランプ等を備え表示を行う第一基板２３および第二基板２４、加湿装置の動作を制御する制御基板２５、ユニット枠２１の底部に取り付けられる下部カバー２６から構成される。
【００２９】
ユニット枠２１の上面には、加湿空気を吹き出す吹出口１３と、取手２２を収納する取手収納部２７と、操作プレートが貼り付けられた第一表示部１４が形成されている。そして、ユニット枠２１の内部（第一表示部１４の裏側）は基板収納部２８になっており、第一基板２３と制御基板２５が収納される。また、ユニット枠２１の前面には前面壁２１ａを一部開口させて第二基板取付部２９が形成され、この第二基板取付部２９の周辺には第二基板２４を嵌合挿入するための嵌合部３０が形成されている。
【００３０】
嵌合部３０は、間隔をあけて配置した２枚の板３０ａ、３０ｂから構成され、この板の間に第二基板２４の端部を挟み込むようになっており、２枚の板のうち手前側の板３０ａは奥側の板３０ｂよりも長さが短くなっている。また、この嵌合部３０は第二基板取付部２９の３辺のうち、少なくとも左右の２辺に設けられている。
【００３１】
第一基板２３は、本体１天面の第一表示部１４に表示を行うランプを備えるとともに使用者が操作プレートのボタンを操作した際に押圧されるスイッチを備えた基板である。これに対し、第二基板２４は本体１正面の第二表示部１６に表示を行うランプを備えた基板であって、第一基板２３と第二基板２４はジャンパリード線３１により接続されている。なお、本実施例においては、第一基板２３はスイッチとランプを備え、第二基板２４はランプのみを備えているが、第二基板２４に操作スイッチを設けてもよいし、第一基板２３をランプのみとしてもよい。また、表示の内容もこれに限るものではない。
【００３２】
制御基板２５は、ＡＣ−ＤＣコンバータ、ダイオード、リセットＩＣ、マイコン、レギュレータ、コンデンサ等の電子部品が配置され、加湿器の動作を制御するようになっている。そして、これらの電子部品のうち、ＡＣ−ＤＣコンバータやレギュレータなどは電源が投入されると加湿器の運転・停止に関わらず通電され、さらに発熱性を有しているため通電されることにより発熱する。
【００３３】
下部カバー２６は、ユニット枠２１に取り付けた際に制御基板２５と対向する部分には、制御基板２５上の電子部品との接触を避けるように凹凸が形成されており、また手前側の辺には第二基板２４が嵌合する溝部２６ａが形成されている。さらに、制御基板２５とは対向しない位置において、周囲より突出する突片２６ｂが２箇所設けられている。
【００３４】
ユニット枠２１には構造上の理由により穴が開けられていることがあり、この突片２６ｂはそのような穴に対応して設けられているものである。例えば、図４の断面図に示すようにユニット枠２１の底面には取手２２が回動する際にユニット枠２１に接触しないようにするために穴２１ｂが設けられている。ところが、この穴２１ｂを設けたことにより、本体１天面と本体１の内部とが連通してしまっており、本体１の天面に水がかかった場合に本体１内に水が浸入してしまう。そこで、下部カバー２６に突片２６ｂを設けて、ユニット枠２１に下部カバー２６を取り付けると突片２６ｂにより穴２１ｂが塞がれるように構成し、これにより本体１内部への水の侵入を防ぐことができる。なお、穴は取手２２を取り付けるために設けたものに限らず、他にも天面と内部を連通してしまうものがあればその穴を塞ぐように突片を設ける。
【００３５】
次に表示操作ユニット２０の組立手順について説明する。
【００３６】
まず、ユニット枠２１を裏返して、基板収納部２８に第一基板２３を配置する。このとき、ユニット枠２１に第一基板２３を固定するための爪を複数設けることで、他の部品をユニット枠２１に配置している間に第一基板２３の位置がずれてしまうことを防止することができる。そして、第二基板取付部２９の嵌合部３０に第二基板２４の左右の端部２４ａ、２４ｂを挿入して第二基板２４をユニット枠２１に取り付ける。第二基板２４はジャンパリード線３１により第一基板２３につながれているため、動かすことの出来る範囲が限られているが、嵌合部３０を構成する板のうち手前の板３０ａが低くなっているため、ジャンパリード線３１の長さが短くても簡単に嵌合部３０に第二基板２４を挿入することができる。なお、奥側の板３０ｂは第二基板２４とほぼ同じ高さがあるので、第二基板２４を奥側の板３０ｂに当接させることで第二基板２４のがたつきを抑えられる。
【００３７】
そして、第一基板２３と第二基板２４を取り付けた後で制御基板２５を乗せ、その上から下部カバー２６を被せる。下部カバー２６には溝部２６ａが設けられており、下部カバー２６を被せると溝部２６ａが第二基板２４の下辺２４ｃと嵌合し、第二基板２４が固定されるようになっている。その後、下部カバー２６とユニット枠２１とをネジ止めする。これにより第一基板２３、第二基板２４、制御基板２５の全てを同時にユニット枠２１に固定することができる。
【００３８】
第一基板２３と第二基板２４は、本体１の天面と正面という異なる面に表示を行う基板であるため、ユニット枠２１内において第二基板２４は第一基板２３に対してほぼ垂直になるように取り付けなければならない。第二基板２４が傾いてしまうと第二表示部１６との位置が合わなくなってしまうため、取付角度には正確さが要求されるが、ユニット枠２１には第二基板２４が挿入される嵌合部３０が設けられているので取付角度が規制されて正確に取り付けることができる。さらに下部カバー２６を被せることにより、第二基板２４の下辺２４ｃを溝部２６ａにより押さえ、上下方向への位置ズレも抑えられる。
【００３９】
また、加湿器を組み立てる際には、予め複数ある基板が表示操作ユニット２０としてユニット化されているので、この表示操作ユニット２０を本体１の天面に取り付ければよく、従来のように別々に本体１に組み付けてリード線をつないだりする手間を省くことができる。さらに、予め基板同士をリード線でつないでおくことができるため、基板同士を接続するリード線にはＦＦＣではなく、ジャンパリード線３１を用いて溶接することができる。ＦＦＣで接続する場合はＦＦＣをコネクタに挿入することになるため、接続部分が湿気の影響を受けやすく腐食してしまうおそれがあるが、溶接した場合には湿気の影響を受けにくいので耐湿性に優れることとなる。
【００４０】
図５は加湿器の縦断面構成図である。本体１内に着脱自在に設けられた水槽部２には図示しない水タンクから水が供給されて一定量の水が貯えられており、この水槽部２内に吸水性を有する気化フィルタ３が配置されている。気化フィルタ３は一部が水槽部２内の水に浸漬されており、この水を吸い上げることにより湿潤している。また、本体１背面には室内の空気を取り込む吸込口１７が設けられ、吸込口１７と気化フィルタ３との間には吸込口１７より取り込まれた空気を加熱して温風とするための温風用ヒータ４が配置されている。そして、気化フィルタ３の上部にはモータ５とシロッコファン６からなる送風機７が設けられ、この送風機７が回転することで室内の空気が吸込口１７から取り込まれ、取り込まれた空気は温風用ヒータ４を通過する間に温風となって、さらに温風は気化フィルタ３を通過することで加湿空気となり、天面の吹出口１３より室内に放出される。
【００４１】
加湿器の運転を停止すると、送風機７の回転が停止するため本体１内に空気が流れなくなるが、水槽部２や気化フィルタ３からは水が蒸発するため本体１内の湿度が上昇して結露しやすい状態となる。しかしながら、加湿器に電源が投入されていれば、加湿器の運転・停止に関わらず制御基板２５に設けられた発熱性の電子部品から熱が放出されるので、この放熱により第一基板２３および第二基板２４の周囲の温度は上昇し、基板周辺の相対湿度が低下するため基板への結露を防ぐことができる。
【００４２】
なお、第一基板２３、第二基板２４、制御基板２５をユニット化して近傍に配置するだけで結露を防ぐ効果を得ることができるが、さらに下部カバー２６を被せることにより制御基板２５からの放熱を表示操作ユニット２０内に留めることになるため、より効果的に熱を利用することができる。
【００４３】
また、このように本体１内部に水を貯える水槽部２を有している場合、本体１が転倒した際には水槽部２内の水が本体１内に流出してしまう。図６は本体１が転倒した際の図５の破線Ｘで囲われた部分を拡大した図であるが、もし、本体１が第二表示部１６のある方向に倒れた場合、本体１の前面壁１１ａには流出した水が貯まってしまうことになる。しかし第二基板２４は正面壁１１ａに貯まる水の水位Ｌよりも上に位置するように設けられているため、第二基板２４が水に浸かってしまうおそれはない。したがって、第二基板２４に防水カバーを設ける必要もない。
【００４４】
この発明は、以上に説明した実施形態に限定されるものではなく、請求項記載の範囲内において種々の変更が可能である。たとえば、加湿方式としては温風用ヒータを用いた温風気化式に限らず、気化式やスチーム式などを用いてもよい。また、表示部は矩形状の本体の天面と正面に設けた例を示したが、天面と側面に設けることもできるし、さらには本体が円柱状であったり一部を円弧状に形成したものなどであってもよい。
【符号の説明】
【００４５】
２      水槽部
２０    表示操作ユニット
２１    ユニット枠
２３    第一基板（表示用基板）
２４    第二基板（表示用基板）
２５    制御基板
２６    下部カバー
２６ａ  溝部
２６ｂ  突片
３０    嵌合部
【図１】
2014044034.tif 000003
【図２】
2014044034.tif 000004
【図３】
2014044034.tif 000005
【図４】
2014044034.tif 000006
【図５】
2014044034.tif 000007
【図６】
2014044034.tif 000008
【図７】
2014044034.tif 000009